(57)【要約】【課題】スケジュール機能に電子メール、カメラ撮影画像、インターネット上での閲覧情報等を貼付け可能とした携帯端末を提供する。【解決手段】スケジュール機能に加えて、電子メール機能、カメラ撮影機能又はブラウザ機能を有する携帯端末において、電子メール等の受信時又は送信時の電子メール、カメラ撮影時等のデータを使用者の選択により記憶部に記憶し、前記スケジュール機能の起動時に月間カレンダ等の日付の指定により、当該日付で記憶された電子メール、撮影画像等のデータを読み出し表示部７に表示することを可能とした。スケジュール機能の未来の日時に電子メール等を貼り付けることをも可能とする。【選択図】図１
2005250605.tif 000002
【特許請求の範囲】
【請求項１】
スケジュール機能と電子メール機能とを有する携帯端末において、電子メール機能における電子メールの受信又は送信時の当該電子メールのデータを使用者の選択により記憶部に記憶する記憶手段と、前記スケジュール機能における日付の指定により、当該日付で記憶された電子メールのデータを読み出し電子メールのリスト又はメール本文を表示部に表示する電子メール読出手段と、を有することを特徴とする携帯端末。
【請求項２】
スケジュール機能とカメラ撮影機能とを有する携帯端末において、カメラ撮影時の当該撮影画像のデータを記憶部に記憶する記憶手段と、前記スケジュール機能における日付の指定により、当該日付で記憶された撮影画像を読み出し表示部に表示する画像読出手段と、を有することを特徴とする携帯端末。
【請求項３】
前記カメラ撮影時の撮影画像のデータは使用者の選択により記憶するか否かを決定可能であることを特徴とする請求項２記載の携帯端末。
【請求項４】
スケジュール機能とブラウザ機能とを有する携帯端末において、ブラウザ機能におけるＵＲＬ情報のデータを記憶部に記憶する記憶手段と、前記スケジュール機能における日付の指定により、当該日付で記憶されたＵＲＬ情報のデータを読み出し表示部に表示するＵＲＬ情報読出手段と、を有することを特徴とする携帯端末。
【請求項５】
前記ブラウザ機能によるＵＲＬ情報のデータは使用者の選択により記憶するか否かを決定可能であることを特徴とする請求項４記載の携帯端末。
【請求項６】
前記スケジュール機能の起動時に前記記憶部に前記データの記憶が存在する日付が認識可能に表示されることを特徴とする請求項１ないし５の何れかの請求項記載の携帯端末。
【請求項７】
スケジュール機能における前記指定は、時刻をも含むことを特徴とする請求項１ないし６の何れかの請求項記載の携帯端末。
【請求項８】
前記記憶部への記憶は未来の日時とともに記憶することが可能であることを特徴とする請求項１ないし７の何れかの請求項記載の携帯端末。
【発明の詳細な説明】
【技術分野】
【０００１】
本発明は、携帯端末に関し、特に、スケジュール機能を有する携帯電話機等の携帯端末に関する。
【背景技術】
【０００２】
近年、携帯情報端末の市場は成熟し、電子メールはもちろんのことカメラ撮影、ＵＲＬ閲覧等の機能を搭載する等の高機能化がはかられてきており、更にスケジューラが組み込まれた携帯端末であって、月間カレンダの日付と、当該日付に送受信した電子メールとを関連付け、カレンダの日付からその日付の電子メールのリスト及び電子メールの内容を参照できるようにし、日毎の情報の有効利用を可能とした携帯端末も知られている（特許文献１参照）。
【０００３】
【特許文献１】特開２００３−１０８４９５号公報
【発明の開示】
【発明が解決しようとする課題】
【０００４】
通常の携帯電話機では、各アプリケーションにより電子メールの送信又は受信の日時、カメラ撮影の日時、ＵＲＬ閲覧の履歴等を知ることができるが、電子メール、写真、ＵＲＬ履歴等の情報は、それぞれ「電子メール」、「アルバム」、「インターネット」等、それぞれ別々のアプリケーションメニューに対応する記憶領域等に日付順に保存されるような保存方法が採用されており、このため過去のある日の送信又は受信メールや撮影した写真等を見るときには、それぞれメニュー選択により所望の機能を起動し、更に日付を捜索して表示させる等の操作が必要であった。
【０００５】
この点、前記特許文献１記載のスケジューラ組み込みの携帯端末によれば、スケジューラのアプリケーションから日付を選択することにより他のアプリケーションを起動できるからスケジューラからメーラを起動することにより、当該選択した日付の送受信メールのリスト等を表示させることが可能である。
【０００６】
しかしながら、このスケジューラ組み込みの携帯端末では、過去の日付の電子メールのリスト等を参照可能とするものであり、カメラ撮影画像、インターネット上の情報等については参照不可能である。またスケジューラから電子メールのリスト等を参照可能であるとしても、スケジューラ上の電子メールは、過去に送受信した電子メールの全てを単に当該日付にリンクして記録したものであり、多数の送受信した電子メールを探索する必要があり、スケジューラとしての日付毎に真に必要な電子メールのみを直ちに参照可能とするものではなく使い勝手が良くないという点で問題がある。
【０００７】
（目的）
本発明の目的は、以上のような問題点を解決するものであり、スケジュール機能に関連して電子メールの履歴等について選択的に記憶可能であり使い勝手のよい携帯端末を提供するものである。
【０００８】
本発明の他の目的は、スケジュール機能にカメラ撮影画像、インターネット上での閲覧情報、履歴等について記憶可能であり、参照のための操作性を向上させた携帯端末を提供するものである。
【０００９】
本発明の他の目的は、電子メール、カメラ撮影画像及びインターネット上の閲覧情報、履歴等をカレンダ上の任意の日時等に選択的に貼る付け可能とし、これらの情報をカレンダ上から参照可能にする携帯端末を提供するものである。
【課題を解決するための手段】
【００１０】
本発明の携帯端末は、スケジュール機能と電子メール機能とを有する携帯端末において、電子メール機能における電子メールの受信時又は送信時の当該電子メールのデータを使用者の選択により記憶部に記憶する記憶手段と、前記スケジュール機能における日付の指定により、当該日付で記憶された電子メールのデータを読み出し電子メールのリスト又はメール本文を表示部に表示する電子メール読出手段と、を有することを特徴とする。
【００１１】
また、スケジュール機能とカメラ撮影機能とを有する携帯端末において、カメラ撮影時の当該撮影画像のデータを記憶部に記憶する記憶手段と、前記スケジュール機能における日付の指定により、当該日付で記憶された撮影画像を読み出し表示部に表示する画像読出手段と、を有することを特徴とする。また、スケジュール機能とブラウザ機能とを有する携帯端末において、ブラウザ機能におけるＵＲＬ情報のデータを記憶部に記憶する記憶手段と、前記スケジュール機能における日付の指定により、当該日付で記憶されたＵＲＬ情報のデータを読み出し表示部に表示するＵＲＬ情報読出手段と、を有する。そして記憶部に記憶する情報は使用者により選択可能であることを特徴とする。
【００１２】
また、前記各発明において、前記スケジュール機能の起動時に前記記憶部に前記データの記憶が存在する日付が認識可能に表示されることを特徴とし、スケジュール機能における前記指定は、時刻をも含むことを特徴とする。更に、前記記憶部への記憶は未来の日時とともに記憶することが可能であることを特徴とする。
【発明の効果】
【００１３】
本発明によれば、スケジュール機能に電子メール機能、カメラ撮影機能、ブラウザ（インターネット）機能等を関連付けることにより、スケジュール機能から所望の日付等に貼り付けられている各機能における情報を簡単な操作で表示することが可能であり、例えば日付別の電子メール、写真等のようにそれぞれの機能において日付順に追っていくような煩わしい操作を行う必要をなくすことが可能である。特に、スケジュール機能で参照可能な情報は、電子メール機能、カメラ撮影機能、ブラウザ機能において使用者が選択的に記憶した情報とすることにより、当該日付での使用者の生活に関連する真に必要な情報に限定してスケジュール機能から参照することが可能である。
【００１４】
また、所望の日付の電子メール、カメラ撮影、ブラウザ（ＵＲＬ閲覧）等のメニューの変更を行うことなく一度に確認することが可能であるので確認操作が簡単に素早く行うことが可能である。
【００１５】
また、月間カレンダ表示等のスケジュール機能表示を使用することにより、電子メール、撮影画像、ＵＲＬ情報等が貼付けられている日が一目で認識し確認することが可能である。
【００１６】
更に、スケジュール機能において日付に加えて時刻をも指定するように構成することにより、日時単位の指定により必要な情報の取得を可能とする。また、前記記憶部への記憶は未来の日時とともに記憶するように構成することにより、将来時点で参照すべき重要な情報を予め貼り付けておくことが可能である。
【発明を実施するための最良の形態】
【００１７】
（構成の説明）
図１は本発明の携帯端末の一実施の形態を示す携帯電話機のブロック図である。  
本実施の形態の携帯電話機は、図示しない基地局からの無線信号を受信するアンテナ１と、受信した無線信号を復調し、発呼側で作られたベースバンド信号に再生する無線部２と、受信ベースバンド信号に含まれる音声情報やデータ情報（画像情報やテキスト情報を含む）を再生するベースバンド部３と、受話器であるレシーバ部５と、送話器であるマイク部６と、各部の制御や各種の処理を行う制御部４と、使用者に対して情報を表示出力する表示部７と、通話ボタンやテンキーなどのキー操作部８と、人物や風景等の撮影に使用される携帯端末内蔵のカメラ部９と、電話帳やスケジュールや受信又は送信した電子メールや撮影した画像データ等及び各種設定データ等を記憶しておく記憶部１０とを備える。
【００１８】
制御部４は、図示しないＲＯＭ等に記憶されたプログラムにより動作し、携帯電話機の通話や電子メールの送受信等、携帯電話機としての動作の制御に加え、スケジュール、電子メール、カメラ撮影、ブラウザ（ＵＲＬ閲覧）等の機能を実現する制御を行う。
【００１９】
本実施の形態のスケジュール機能は、起動により表示部７に例えば月間カレンダ等の表示が可能であり、また月間カレンダの日付を選択することにより、従来のスケジュール機能と同様に当該日付にリンクしてメモ等の書き込みを保存することが可能である。
【００２０】
電子メール機能を起動すると、キー操作部８の操作により表示部７に電子メール画面を表示し、電子メールの作成、送受信、記憶部１０への保存を可能とし、また送受信メールのリストや電子メール本文等を記憶部１０から読み出して表示することが可能となる。また、カメラ部９の撮影機能を起動すると、キー操作部８の操作によりカメラ部９による写真撮影が可能となり撮影画像を表示部７に表示し、保存操作により保存することができ、また、既に保存している撮影画像を読み出して表示すること等が可能となる。更にブラウザ機能を起動するとキー操作部８の操作によりＵＲＬの閲覧が可能となり、必要なＷＥＢページの情報を表示し、ダウンロードし保存し、読み出し表示すること等が可能となる。
【００２１】
特に、本実施の形態では電子メール、撮影画像、ＵＲＬ情報等を月間カレンダの日付にリンクして記憶する（貼り付ける）ことが可能であり、更に、月間カレンダへの貼付けは、電子メール、撮影画像、ＵＲＬ情報等の機能の操作時に生成されたデータをユーザにより記憶部１０に保存することにより行い、スケジュール機能の起動状態では月間カレンダ表示において日時の指定により記憶部１０に記憶された電子メール、撮影画像又はＵＲＬ情報等を読み出し表示部７に表示する。また、記憶部１０への記憶は使用者のキー操作部８の操作により記憶するか否かを選択し決定することが可能である。
【００２２】
図２は、上記機能を制御する制御部の機能、構成の概要を示す図である。制御部４はスケジュール機能４１に加え、電子メール機能４２、カメラ撮影機能４３及びブラウザ機能４４の各制御機能を有する。各機能は各アプリケーションの機能の選択画面においてキー操作部８からの使用者の操作により選択されることにより起動する。各機能には記憶部１０への情報の記憶及び読出の手段をそれぞれ有しているが、図２ではスケジュール機能での参照可能な情報を記憶し、その情報を読み出し表示する手段としての記憶手段及び読出手段を示している。
【００２３】
電子メール、カメラ撮影及びブラウザ（ＵＲＬ閲覧）の各機能の記憶手段は、スケジュール機能の読出手段からの日付を指定した読み出しが可能に、記憶部１０にそれぞれの情報を日付と関連して記憶する機能を有する。また、スケジュール機能の読み出しにおいて使用者からの日付を指定することにより前記電子メール、撮影画像等の記憶情報を読み出すときに、それぞれ電子メール読出手段、画像読出手段及びＵＲＬ情報読出手段として、該当する電子メール、撮影画像等の記憶情報を読み出し表示する機能を有する。
【００２４】
ここで、電子メール、撮影画像、ＵＲＬ情報等の機能において読み出し可能に扱う電子メール、撮影画像等の情報と、スケジュール機能において読み出し可能に扱う電子メール、撮影画像等の情報とは記憶部１０のそれぞれ異なる記憶領域に保存するように構成することができる。また、前者のそれぞれ情報を記憶部１０の同一又は異なる記憶領域に保存し、スケジュール機能では、それぞれの情報とリンクさせるためのインデックス情報を記憶部１０に保存し、当該インデックスを用いて記憶部１０の電子メール等のそれぞれの情報にアクセスするように構成することができる。以下説明の便宜上、スケジュール機能を含めてそれぞれの機能毎に記憶部１０の別の場所に機能対応で保存する例により説明する。
【００２５】
（動作の説明）
図３は本実施の形態の携帯電話機において受信した電子メールをスケジュールに貼り付ける場合の動作のフローチャートを示す図である。  
本携帯電話機が電子メールを受信し（ｓ２０１）、使用者は携帯電話機のキー操作部８を操作することにより電子メール機能により受信メールを確認する（ｓ２０２）。通常の電子メール機能により受信メールは受信時に記憶部１０内部の電子メールの記憶領域（電子メールフォルダ等）に記憶される。使用者による電子メールの確認後、受信メールをスケジュール機能の記憶領域に記憶（貼付け）するか否かのメッセージが表示部７に表示される（ｓ２０３）。
【００２６】
ここで使用者が貼付けを選択しない場合（Ｎｏ）には、当該受信メールは電子メール機能においてのみ使用可能となる。また、ステップｓ２０３において、使用者が貼付けを選択した場合（Ｙｅｓ）には、電子メールを受信した日付のスケジュールに受信メールが貼り付けられる（ｓ２０４）。この場合、受信メールは記憶部１０内部のスケジュール機能で使用する記憶領域（スケジュールフォルダ等）に記憶される。その後の処理は携帯電話機の電子メール等の待ち受け等の処理に移行する。
【００２７】
図４は本実施の形態の携帯電話機においてカメラ撮影した画像をスケジュールに貼り付ける場合の動作のフローチャートを示す図である。  
使用者が携帯電話機のキー操作部８を操作することによりカメラ部９による撮影機能を起動し（ｓ３０１）、人物や風景等の撮影を行う（３０２）。撮影後、撮影画像を記憶（登録）するか否かのメッセージが表示部７に表示される（ｓ３０３）。ここで使用者が登録を選択しない場合（Ｎｏ）、携帯電話機の通常の撮影待ち状態等に戻る等の処理が行われる。また、ステップ３０３において使用者が登録を選択した場合（Ｙｅｓ）、記憶部１０内部の撮影機能で使用する記憶領域（写真フォルダ等）に撮影画像が登録される（ｓ３０４）。
【００２８】
登録後その画像をスケジュール機能に記憶（貼付け）するか否かのメッセージが表示部７に表示される（ｓ３０５）。ここで使用者が貼付けを選択しない場合（Ｎｏ）には撮影画像は撮影機能においてのみ使用可能となる。また、ステップｓ３０５において、使用者が貼付けを選択した場合（Ｙｅｓ）には、撮影した日付のスケジュール機能で使用する記憶領域に画像が記憶される（ｓ３０６）。この場合は電子メール等の場合と同様に記憶部１０内部のスケジュール機能で使用する記憶領域に撮影画像が記憶され、その後の処理は撮影待ち受け状態等の処理に移行する。
【００２９】
図５は本実施の形態の携帯電話機におけるブラウザ閲覧の情報をスケジュールに貼り付ける場合の動作のフローチャートを示す図である。電子メール及びカメラ撮影の場合と同様であり、使用者が携帯電話機のキー操作部８を操作することによりブラウザ機能を起動し（ｓ４０１）、ＵＲＬ情報を閲覧する（ｓ４０２）。ＵＲＬ情報等を記憶（登録）するか否かのメッセージに対し（ｓ４０３）、使用者が登録を選択した場合（Ｙｅｓ）、記憶部１０内部のブラウザ機能で使用する記憶領域にＵＲＬ情報が登録される（ｓ４０４）。登録後、当該ＵＲＬ情報をスケジュール機能に記憶（張付け）するか否かのメッセージが表示部７に表示され（ｓ４０５）、使用者が貼付けを選択した場合（Ｙｅｓ）には、ＵＲＬ閲覧の日付のスケジュール機能で使用する記憶領域にＵＲＬ情報が記憶される（ｓ４０６）。
【００３０】
図６は本実施の形態の携帯電話機におけるスケジュールの表示例を示す図である。本実施の形態のスケジュール機能で使用される代表的なスケジュール表示は月間カレンダ表示である。携帯電話機のスケジュール機能を起動すると、図３〜５に示す電子メール、撮影機能、ブラウザ機能でのスケジュールへの電子メール、撮影機能等の貼付け操作により、月間カレンダ表示上に電子メール、撮影画像等が貼り付けられたことにより、当該日付に貼付けを示す貼付けマークが付与される。
【００３１】
使用者はキー操作部を操作して、貼付けマークが付与された日付を選択すると、スケジュール機能の読出手段により記憶部１０から保存された情報が読み出され、貼り付けられた情報としての電子メール、撮影画像又はＵＲＬ情報が携帯電話機の表示部７に表示される。
【００３２】
以上のように、本実施の形態のスケジュール機能によれば電子メール等が貼り付けられていることを示す印がつけられることにより、貼り付けられている日が一目で認識することができ、貼り付けられた情報も簡単な操作で表示することが可能である。印は貼り付けた情報に応じて異なるマークの表記法が採用できるる。
【００３３】
（他の実施の形態）
以上の実施の形態では、送受信メール、カメラ撮影画像等のカレンダへの貼付けは、当該操作日付等への貼付けを自動的に行うように構成した例を示しているが、送受信メール及びカメラ撮影画像の貼付けを当該電子メールの受信日時の後の日時に貼り付けるように構成することにより、将来の時点で参照することが必要な内容を有する電子メールや撮影画像等を当該日時に貼り付けるように構成することも可能である。
【００３４】
図７は送受信メールに関する本実施の形態の動作のフローチャートを示す図である。  
本携帯電話機が電子メールを受信し（ｓ５０１）、使用者は携帯電話機のキー操作部を操作することにより受信メールを確認する（ｓ５０２）。通常の電子メール機能により受信メールは受信時に記憶部１０内部の電子メールフォルダの領域に記憶される。使用者による電子メールの確認後、受信メールをスケジュール機能にリンクして保存（貼付け）するか否かのメッセージが表示部７に表示される（ｓ５０３）。
【００３５】
ここで使用者が貼付けを選択しない場合（Ｎｏ）には、当該受信メールは電子メール機能において使用可能となる通常通りの処理が行われる。また、ステップｓ５０３において、使用者が貼付けを選択した場合（Ｙｅｓ）には、貼付け日時を指定するための選択画面が表示され（ｓ５０４）、日時を指定しない場合はメール受信時の日時に貼り付けられ（ｓ５０５）、日時を指定すると当該日時に貼り付けられる（ｓ５０６）。その他の場合はスケジュールへの貼付けはされない。
【００３６】
図８はカメラ撮影に関する本実施の形態の動作のフローチャートを示す図である。本実施の形態の動作は、起動からスケジュールへの貼付けのメッセージ表示までのステップｓ６０１〜ｓ６０５の処理は、図４に関する説明と同様であり、ステップｓ６０６において、スケジュール貼付けを選択すると、貼付け日時を指定するための選択画面が表示され（ｓ６０６）、日時を指定しない場合は画像撮影時の日時に貼り付けられ（ｓ６０７）、日時を指定すると当該日時に貼り付けられる（ｓ６０８）。その他の場合はスケジュールへの貼付けはされない。
【００３７】
以上の動作はブラウザ機能における日時指定による貼付けでも同様である。この場合のフローチャートは図５に示すブラウザ機能のフローチャートのステップｓ４０６に、例えば図８のステップｓ６０６〜ｓ６０８に対応する処理を追加することにより実現可能であるから、当該スローチャートによる説明を省略する。
【００３８】
以上の実施の形態は、将来の日付の会議の場所、時間、会議資料等を受信メール、写真又はＵＲＬ情報等を当該日付等に貼り付ける等の使用方法に好適である。なお、スケジュール機能への貼付けは受信時等、情報の入手の日時を含む複数の日時等に貼る付け可能に構成できることは云うまでもない。
【図面の簡単な説明】
【００３９】
【図１】本発明の携帯端末の一実施の形態を示す携帯電話機のブロック図である。
【図２】上記機能を制御する制御部の機能、構成の概要を示す図である。
【図３】本実施の形態の携帯電話機において受信した電子メールをスケジュールに貼り付ける場合の動作のフローチャートを示す図である。
【図４】本実施の形態の携帯電話機において撮影した画像をスケジュールに貼り付ける場合の動作のフローチャートを示す図である。
【図５】本実施の形態の携帯電話機におけるブラウザ閲覧の情報をスケジュールに貼り付ける場合の動作のフローチャートを示す図である。
【図６】本発明の携帯電話機における月間スケジュール（カレンダ）の表示例を示す図である。
【図７】貼付け日時の指定により電子メールをスケジュールに貼り付ける場合の動作のフローチャートを示す図である。
【図８】貼付け日時の指定により画像をスケジュールに貼り付ける場合の動作のフローチャートを示す図である。
【符号の説明】
【００４０】
１  アンテナ
２  無線部
３  ベースバンド部
４  制御部
５  レシーバ
６  マイク
７  表示部
８  キー操作部
９  カメラ部
１０  記憶部
４１  スケジュール機能
４２  電子メール機能
４３  カメラ撮影機能
４４  ブラウザ機能
【図１】
2005250605.tif 000003
【図２】
2005250605.tif 000004
【図３】
2005250605.tif 000005
【図４】
2005250605.tif 000006
【図５】
2005250605.tif 000007
【図６】
2005250605.tif 000008
【図７】
2005250605.tif 000009
【図８】
2005250605.tif 000010